(57)【要約】【課題】万一、インバータ回路を含む制御回路に用いる電気部品から発火したとしても、室外機本体内の他の部品に延焼するおそれがなく、安全な空気調和装置の室外機を提供する。【解決手段】本空気調和装置の室外機は、室外機本体内に熱交換器と、送風機と、密閉型圧縮機と、インバータ回路を含む制御回路に用いる電気部品が収容された電気部品箱とを備え、この電気部品箱には、内部に収容された電気部品を通風により冷却するための通気開口を形成し、この通気開口部に、１２０〜１５０℃で膨張を開始し、通気開口を塞ぐ熱膨張部材を配置した。【選択図】  図４
2010054165.tif 000002
【特許請求の範囲】
【請求項１】
室外機本体と、この室外機本体内に熱交換器と、送風機と、密閉型圧縮機と、インバータ回路を含む制御回路に用いる電気部品が収容された電気部品箱とを備えた空気調和装置の室外機において、
前記電気部品箱には、内部に収容された電気部品を通風により冷却するための通気開口を形成し、この通気開口部に、１２０〜１５０℃で膨張を開始し、通気開口を塞ぐ熱膨張部材を配置したことを特徴とする空気調和装置の室外機。
【発明の詳細な説明】
【技術分野】
【０００１】
本発明は空気調和装置の室外機に係り、特に室外機の電気部品箱の外部延焼防止機能を備えた空気調和装置の室外機に関する。
【背景技術】
【０００２】
一般に空気調和装置の室外機は、室外機本体を仕切板により、熱交換室２Ａと機械室２Ｂに仕切り、熱交換室に室外熱交換器、送風機を収容し、機械室に密閉型圧縮機などを収容し、さらに、室外機本体の上端に電気部品箱を取り付ける。
【０００３】
図６に示すように、従来の電気部品箱２１Ａには、内部にインバータ回路を含む制御回路に用いる電気部品２６を装填した制御基板２７が収容され、この電気部品２６を通風により冷却するために、筐体に冷却空気流通用の通気開口２２６、２２７が設けられる。
【０００４】
しかし、従来の電気部品箱２１Ａは、何らかの原因でインバータ回路基板に取り付けた電子部品２４から発火した場合、電気部品箱２１Ａの通気開口２２６、２２７に延焼防止手段が設けられていないので、通気開口２２６、２２７から火が漏れて、最悪の場合、室外機本体内の部品に延焼するおそれがある。
【０００５】
なお、貫通部材又は貫通孔壁と貫通孔部材との間隙への施工時の取扱性に優れ、火炎を遮断し延焼を防止するのに十分な体積膨張率と崩れにくい膨張層を有する防火用熱膨張ウレタンシートが提案されている（例えば、特許文献１参照）。
【特許文献１】特開２００２−１４４４３８号公報
【発明の開示】
【発明が解決しようとする課題】
【０００６】
本発明は上述した事情を考慮してなされたもので、万一、インバータ回路を含む制御回路に用いる電気部品から発火しても、室外機本体内の部品に延焼するおそれがなく、安全な空気調和装置の室外機を提供することを目的とする。
【課題を解決するための手段】
【０００７】
上述した目的を達成するため、本発明に係る空気調和装置の室外機は、室外機本体と、この室外機本体内に熱交換器と、送風機と、密閉型圧縮機と、インバータ回路を含む制御回路に用いる電気部品が収容された電気部品箱とを備えた空気調和装置の室外機において、前記電気部品箱には、内部に収容された電気部品を通風により冷却するための通気開口を形成し、この通気開口部に、１２０〜１５０℃で膨張を開始し、通気開口を塞ぐ熱膨張部材を配置したことを特徴とする。
【発明の効果】
【０００８】
本発明に係る空気調和装置の室外機によれば、万一、電気部品が収容された電気部品箱内から発火しても、電気部品箱外部への延焼を防止できるので、室外機本体内の他の部品に延焼するおそれがなく、安全性の高い空気調和装置の室外機を提供することができる。
【発明を実施するための最良の形態】
【０００９】
本発明の一実施形態に係る空気調和機の室外機について図面を参照して説明する。
【００１０】
図１は本発明の一実施形態に係る空気調和機の室外機の斜視図、図２は本室外機の分解斜視図、図３は本室外機の電気部品箱近傍を拡大して示す斜視図、図４は本室外機の電気部品箱の分解斜視図、図５は本電気部品箱の縦断面を示す概念図である。
【００１１】
図１および図２に示すように、本実施形態の空気調和装置の室外機１は、筐体を構成する室外機本体２を備え、この室外機本体２は底板３と、この底板３から立設された、吹出口４ａが設けられた前面板４と、この前面板４に連設された機械室２Ｂ側の側板５と、通風開口を備えた格子状の熱交換室２Ａ側の側板６と、この機械室２Ｂ側の側板５、熱交換室２Ａ側の側板６に連設され背面側をなすように背面に露出した熱交換器７と、室外機本体２の開口を覆うように載置された天板８で構成される。
【００１２】
さらに、室外機本体２は、底板３に立設された仕切板９により、熱交換室２Ａと機械室２Ｂとに区分されている。
【００１３】
熱交換室２Ａには、熱交換器７と、この熱交換器７の風下側に配された送風機１０が収容され、この送風機１０の前方の前面板４の吹出口４ａの外面にはファンガード４ｂが対向して設けられる。
【００１４】
図３に示すように、機械室２Ｂ内には、圧縮機１１および圧縮機１１の吐出管および吸込管と熱交換器７および室内機側と接続される配管との間に構成される冷凍サイクルの部品が収容されている。
【００１５】
また室外機本体２内上部には、機械室２Ｂと熱交換室２Ａに跨って、上記圧縮機１１の制御に用いるインバータ回路を含む制御回路に用いる電気部品を収容する電気部品箱２１が収容され、この電気部品箱２１は、仕切板９の上端部に取り付けられる。
【００１６】
図４および図５に示すように、電気部品箱２１は、横長状の略直方体形状をなし、上部が開口された箱本体２２と、この箱本体２２の上部開口に上面より被せて塞ぐ蓋体２３からなり、箱本体２２は長方形状の底面２２１を備え、この底面２２１の左右方向２短辺から、機械室側短側面２２３、熱交換室側短側面２２４が夫々立ち上がり、前後に位置する他の２長辺から、前面側長側面２２２、背面側長側面２２５が立ち上がる。
【００１７】
箱本体２２には、熱交換室２Ａ側（図５中右側）の底面２２１には、熱交換室側通気開口２２６が穿設され、機械室２Ｂ側（図５中左側）の機械室側短側面２２３には、機械室側通気開口２２７が穿設され、熱交換室側短側面２２４には放熱フィン用切欠２２８が設けられる。
【００１８】
さらに、熱交換室側通気開口２２６の周囲の少なくとも一部例えば両長辺側の両側に熱膨張部材２４を設け、機械室側通気開口２２７の下側に熱膨張部材２５を設ける。
【００１９】
熱膨張部材２４、２５は、いずれも熱膨張性耐熱シール材からなる。
【００２０】
この熱膨張性耐熱シール材は、主要構成材料が、無機質充填材（炭酸カルシウム）および膨張材６４重量％、未加流ゴム・ポリオレフィン３１重量％、脱水・炭化材（リン酸加工物９重量％であり、電子部品の発火の加熱により例えば１２０℃〜１５０℃から膨張を開始し、４倍以上に体積膨張する構成となっている。
【００２１】
熱膨張性耐熱シール材が１２０℃以下で膨張を開始する材料であると、電子部品の通常運転時の放熱状態で膨張を開始してしまう可能性があり、逆に１５０℃以上で膨張を開始する材料であると、電子部品の発火直後では、膨張せず、しばらくしてある程度火炎が拡大した頃に膨張を開始するため、室外機本体２内の部品への延焼を防止できない。
【００２２】
箱本体２２には上面開口を塞ぐように電気部品２６が取り付けられた制御基板２７が収容される。この制御基板２７の熱交換室２Ａ側付近に装填されたインバータ制御用半導体部品には熱交換室２Ａに臨むように箱本体２２の側面側に放熱フィン２８が伝熱的に取り付けられ、機械室２Ｂ側に臨む箱本体２２の側面側に端子２９が電気的に接続される。
【００２３】
さらに、制御基板２７は扁平長方形で容器状の蓋体２３で覆われる。
【００２４】
以上の構成でなる電気部品箱２１は、放熱フィン２８および端子２９が、箱本体２２外に露出する一方、熱交換室側通気開口２２６および機械室側通気開口２２７以外では外気と略連通しない。
【００２５】
次に、本室外機の空調動作について説明する。
【００２６】
なお、空気調和機は、室外に設けられる本室外機１と、家庭やビル等の室内に設けられ室内の空気を調整する室内機とにより構成されている。空気調和機は、各種の運転モードに応じて、冷気、送風及び暖気のいずれかを室内に送風し、室内の空気温度や空気循環等を調整する。
【００２７】
室外機１は、圧縮機１１及び送風機１０の駆動により室内機と協働して空調動作を行う。
【００２８】
室外機１の運転により、圧縮機１１からの吐出冷媒あるいは圧縮機１１に戻る冷媒は熱交換器７によって熱交換される。熱交換器７での熱交換は、送風機１０の駆動により室外機本体２の背面や側面から吸い込まれた外気が熱交換器７を通過することによって行われる。熱交換された外気は、室外機本体２の吹出口４ａからファンガード４ｂを通して吹き出される。
【００２９】
一方、仕切板９の上端に取り付けられた電気部品箱２１には、送風機１０により熱交換室２Ａ側にある熱交換室側通気開口２２６に負圧が作用し、機械室２Ｂにある機械室側通気開口２２７から空気を吸い込み、この吸い込まれた空気は電気部品箱２１を流れて、電気部品２６を冷却し、熱交換室側通気開口２２６から排出される。
【００３０】
これに対して、回路のショートや電気部品の異常など、何らかの原因で、インバータ回路を含む制御回路に用いる電気部品２６が発火する場合がある。電気部品２６が発火すると、電気部品箱２１内は異常高温となり、温度が１２０℃以上に上昇する。
【００３１】
熱膨張部材２４、２５が１２０℃以上になると、熱膨張部材２４、２５が膨張を開始して、図５の破線Ａ、Ｂで示すように膨張し熱交換室側通気開口２２６および機械室側通気開口２２７を完全にあるいは延焼を防止できる程度に塞ぐ。
【００３２】
これにより、万一、インバータ回路を含む制御回路に用いる電気部品２６から発火しても、室外機本体２内の他の構成部品に延焼するおそれがない。
【００３３】
本実施形態の空気調和装置の室外機によれば、万一、インバータ回路を含む制御回路に用いる電気部品から発火したとしても、室外機本体内の他の部品に延焼するおそれがなく、安全な空気調和装置の室外機が実現する。
【図面の簡単な説明】
【００３４】
【図１】本発明の一実施形態に係る空気調和機の室外機の斜視図。
【図２】本発明の一実施形態に係る空気調和機の室外機の分解斜視図。
【図３】本発明の一実施形態に係る空気調和機の室外機の電気部品箱近傍を拡大して示す斜視図。
【図４】本発明の一実施形態に係る空気調和機の室外機の電気部品箱の分解斜視図。
【図５】本発明の一実施形態に係る空気調和機の室外機の電気部品箱の縦断を示す概念図。
【図６】従来の空気調和機の室外機の電気部品箱の縦断を示す概念図。
【符号の説明】
【００３５】
１…室外機、２…室外機本体、２Ａ…熱交換室、２Ｂ…機械室、３…底板、４…前面板、４ａ…吹出口、４ｂ…ファンガード、５…機械室２Ｂ側の側板、６…熱交換室２Ａ側の側板、７…熱交換器、８…天板、９…仕切板、１０…送風機、１１…圧縮機、２１…電気部品箱、２２…箱本体、２２１…底面、２２２…前面側長側面、２２３…機械室側短側面、２２４…熱交換室側短側面、２２５…背面側長側面、２２６…熱交換室側通気開口、２２７…機械室側通気開口、２２８…放熱フィン用切欠、２３…蓋体、２４…熱膨張部材、２５…熱膨張部材、２６…電気部品、２７…制御基板、２８…放熱フィン、２９…端子。
【図１】
2010054165.tif 000003
【図２】
2010054165.tif 000004
【図３】
2010054165.tif 000005
【図４】
2010054165.tif 000006
【図５】
2010054165.tif 000007
【図６】
2010054165.tif 000008